(57)【要約】【課題】サッシをビル等の取付開口部の壁面に、極めて簡単、且つ短時間にセンターを取り、水平、且つ垂直に位置決めして固定できるようにする。【解決手段】サッシ１の左・右枠１ａ・１ｂおよび上・下枠１ｃ・１ｄに固定して、該サッシ１を４個所の隅角部を直角に維持して、方形枠状に保型して宙吊り保持固定することができる井桁状の第１フレーム２と、該第１フレーム２の後方側に連結された井桁状の第２フレーム３と、前記第２フレーム３の後方側に連結された井桁状の第３フレーム４とにより、前記サッシ１を左右方向、上下方向および前後方向に移動させて、ビル等の取付開口部Ｋの壁面Ｗへの前記サッシ１の取付位置を調整して取付ける。【選択図】図１
2017078305.tif 000002
【特許請求の範囲】
【請求項１】
サッシの左・右枠および上・下枠に固定して、該サッシの４個所の隅角部を直角に維持して方形枠状に保型して宙吊り状態に保持固定することができる井桁状の第１フレームと、前記第１フレームの後方側に、該第１フレームを前後方向に移動させる前後方向移動部材を介して連結された井桁状の第２フレームと、前記第１フレームを左右方向、上下方向に移動させる移動機構を前記第２フレームと井桁状の第３フレーム間に備えて、前記第１フレーム、第２フレームおよび第３フレームを一体に連結して構成された、サッシの取付開口部の壁面への取付位置を調整するサッシ位置決め装置であって、
前記井桁状の第１フレームは、細巾の横方向金属板と縦方向金属板とを各２本ずつ間隔を有して直角、且つ面一に交差して井桁状に連結固定して、中央に方形状の空隙部を備えて、前記サッシの巾および高さより短かく形成されると共に、前記各金属板の各端部に、長さを調整する長さ調整部材がそれぞれ設置されると共に、該各長さ調整部材の先方には、前記サッシの左・右枠および上・下枠の内側面に圧着固定する固定ピースが取付けられ、
前記第２フレームは、前記第１フレームと同様に、横方向金属板と縦方向金属板とを、前記第１フレームの横方向金属板と縦方向金属板と同一間隔で直角に、且つ面一に交差して井桁状に連結固定して、中央に方形状の空隙部を備えて形成され、前記第１フレームと第２フレームとは、前記各交差部分において、前後移動部材を軸支して連結され、且つ該前後方向移動部材により、前記第１フレームは第２フレームに連結されると共に、前後方向に移動可能に連結され、
前記第３フレームは、前記第１フレームおよび第３フレームと同様に、２本の横方向金属板と縦方向金属板とを、直角に、且つ面一に交差して井桁状に連結固定すると共に、中央に方形状の小空隙部を備えて形成され、且つ前記第３フレームの各横方向金属板の一方側端部に、取付開口部に位置する壁面の一方側の縦方向後方のＬ字状隅角部に、一方側当接部材を長さを調節して固定する一方側長さ調整接部材を連結固定すると共に、前記各横方向金属板の他方側端部に壁面の他方側の縦方向後方のＬ字状隅角部に、他方側当接部材を長さを調節して固定する他方側長さ調整接部材が連結固定され、更に前記各縦方向金属板の下端面には、前記取付開口部の底面にスタンドを高さを調整して設置するための下方側長さ調整部材が連結固定されて形成され、
前記第２フレームおよび第３フレームの各空隙部間には、前記第２フレームを左右・上下方向に移動させ、これにより該第２フレームと連結されている第１フレームを左右方向に移動させる左右方向移動部材と、上下方向に移動させる上下方向移動部材とを備えた移動機構が設置され、
前記左右方向移動部材は、前記第２フレームの左右に配設された各縦方向金属板の中間部付近に間隔を有して２本の横連結杆を、前記各縦方向金属板と面一になるよう一体に連結固定すると共に、該各横連結杆の中間部付近に間隔を有して２本の縦連結杆を、前記各横連結杆と面一になるよう一体に連結固定して、前記移動機構を設置する第２フレーム側取付枠体が形成され、
前記上下方向移動部材は、第３フレームの上下に配設された各横方向金属板の中間部付近に間隔を有して２本の縦連結杆を、前記各縦方向金属板と面一になるよう一体に連結固定すると共に、該各縦連結杆の中間部付近に間隔を有して２本の横連結杆を、前記各縦連結杆と面一になるよう一体に連結固定して、前記移動機構を設置する第３フレーム側取付枠体が形成され、
前記移動機構は、前記第２フレーム側取付枠体と第３フレーム側取付枠体間において配設された方形状プレートの表・裏面側に、それぞれ左右方向移動部材と上下方向移動部材を設置して形成され、
前記第２フレームに連結された第１フレームを左右方向に移動させる左右方向移動部材は、前記方形状プレートの表面側の両側上下位置において、横方向に配設された２本のスライドシャフトをガイドする２組のスライドベアリングがそれぞれセットとして間隔を有して固定されると共に、該スライドベアリングにそれぞれ軸挿された各スライドシャフトの各両側端部が、前記第２フレームの縦連結杆に固定されると共に、前記方形状プレートの表面側中央部に、第２フレームに連結されている第１フレームを左右動させるための左右移動ねじ杆を螺挿する送りナットが固定され、且つ前記左右移動ねじ杆の基端部側は一方の縦連結杆に設けられた軸受に螺挿され、該軸受から更に横方向へ延設された前記左右移動ねじ杆の基端部に回転ハンドルを固定して形成され、
前記第２フレームに連結された第１フレームを上下方向に移動させる上下方向移動部材は、前記方形状プレートの裏面側の上下両側位置において、縦方向に配設された２本のスライドシャフトをガイドする２組のスライドベアリングがそれぞれセットとして間隔を有して固定されると共に、該スライドベアリングにそれぞれ軸挿された各スライドシャフトの各上下端部が、前記第３フレームの横連結杆に固定されると共に、前記方形状プレートの裏面側中央に、第２フレームに連結された第１フレームを上下動させるための上下移動ねじ杆を螺挿する送りナットが固定され、且つ前記上下移動ねじ杆の基端部側は上方の横連結杆に設けられた軸受に螺挿され、該軸受から更に上方へ延設された前記上下移動ねじ杆の上端部に回転ハンドルを固定して形成されたことを特徴とするサッシ位置決め装置。
【発明の詳細な説明】
【技術分野】
【０００１】
本発明は、サッシをビル等の取付開口部に取付ける際に、高度な技能を有する熟練工による作業を必要とせず、極めて簡単、且つ短時間に、ビル等の開口取付部にセンターを取り、水平、且つ垂直に位置決めして、サッシを所定の位置に固定できるようにしたサッシ位置決め装置に関するものである。
【背景技術】
【０００２】
従来一般に使用されているサッシ位置決め方法は、（１）サッシの取付開口部に結束線等でサッシをぶら下げ、（２）木製キャンバーを四方に打ち込んで仮固定し、（３）仕上げ位置を調整するため、下げ振り、金尺、メジャー等を使用して、（ａ）サッシ芯、（ｂ）レベル、（ｃ）出入り（壁芯に合わせる）、（ｄ）垂直、（ｅ）菱（四隅の隅角部を直角にして方形とする）合わせを行ない、サッシのよじれ・はらみを修正した後、溶接固定する方法が行われている。
【０００３】
また、サッシ位置決め装置につき、過去の特許文献を遡及検索したところ、下記の特許文献に開示されたフォークリフトを使用する「サッシ窓の取付装置およびその取付方法」が開示されている。
【先行技術文献】
【特許文献】
【０００４】
【特許文献１】特許第３９６７７１４号公報
【発明の概要】
【発明が解決しようとする課題】
【０００５】
前記従来一般に使用されているサッシ位置決め方法は、極めて高度な技能を有する熟練工による作業が必要であると共に、その位置決めに手間と時間がかかり、極めて高度な熟練工であっても２５分以上の作業が必要となるので、コスト高になるという課題があった。また、前記特許文献１記載の「サッシ窓の取付装置およびその取付方法」では、フォークリフトを使用するため、サッシ窓の位置決めに当っては、フォークリフトの熟練した運転者が必要であると共に、サッシ窓を水平、且つ垂直にするのに手間がかかるので取付けに時間がかかり、従ってコスト高になるという課題があった。
【０００６】
本発明は、前記課題を解決すべくなされたもので、サッシの位置決めに、従来のような結束線や木製キャンバー等を必要とせず、また、高度な技能を有する熟練工による作業も不要で、極めて簡単にコンクリート等の開口取付部にサッシの位置決めができ、更に、位置決めまでの所要時間も１０分以下と極めて短時間にでき、その結果コストの低減を図ることができるサッシ位置決め装置を提供しようとするものである。
【課題を解決するための手段】
【０００７】
本発明は、サッシの左・右枠および上・下枠に固定して、該サッシの４個所の隅角部を直角に維持して方形枠状に保型して宙吊り状態に保持固定することができる井桁状の第１フレームと、前記第１フレームの後方側に、該第１フレームを前後方向に移動させる前後方向移動部材を介して連結された井桁状の第２フレームと、前記第１フレームを左右方向、上下方向に移動させる移動機構を前記第２フレームと井桁状の第３フレーム間に備えて、前記第１フレーム、第２フレームおよび第３フレームを一体に連結して構成された、サッシの取付開口部の壁面への取付位置を調整するサッシ位置決め装置であって、
前記井桁状の第１フレームは、細巾の横方向金属板と縦方向金属板とを各２本ずつ間隔を有して直角、且つ面一に交差して井桁状に連結固定して、中央に方形状の空隙部を備えて、前記サッシの巾および高さより短かく形成されると共に、前記各金属板の各端部に、長さを調整する長さ調整部材がそれぞれ設置されると共に、該各長さ調整部材の先方には、前記サッシの左・右枠および上・下枠の内側面に圧着固定する固定ピースが取付けられ、
前記第２フレームは、前記第１フレームと同様に、横方向金属板と縦方向金属板とを、前記第１フレームの横方向金属板と縦方向金属板と同一間隔で直角に、且つ面一に交差して井桁状に連結固定して、中央に方形状の空隙部を備えて形成され、前記第１フレームと第２フレームとは、前記各交差部分において、前後移動部材を軸支して連結され、且つ該前後方向移動部材により、前記第１フレームは第２フレームに連結されると共に、前後方向に移動可能に連結され、
前記第３フレームは、前記第１フレームおよび第３フレームと同様に、２本の横方向金属板と縦方向金属板とを、直角に、且つ面一に交差して井桁状に連結固定すると共に、中央に方形状の小空隙部を備えて形成され、且つ前記第３フレームの各横方向金属板の一方側端部に、取付開口部に位置する壁面の一方側の縦方向後方のＬ字状隅角部に、一方側当接部材を長さを調節して固定する一方側長さ調整接部材を連結固定すると共に、前記各横方向金属板の他方側端部に壁面の他方側の縦方向後方のＬ字状隅角部に、他方側当接部材を長さを調節して固定する他方側長さ調整接部材が連結固定され、更に前記各縦方向金属板の下端面には、前記取付開口部の底面にスタンドを高さを調整して設置するための下方側長さ調整部材が連結固定されて形成され、
前記第２フレームおよび第３フレームの各空隙部間には、前記第２フレームを左右・上下方向に移動させ、これにより該第２フレームと連結されている第１フレームを左右方向に移動させる左右方向移動部材と、上下方向に移動させる上下方向移動部材とを備えた移動機構が設置され、
前記左右方向移動部材は、前記第２フレームの左右に配設された各縦方向金属板の中間部付近に間隔を有して２本の横連結杆を、前記各縦方向金属板と面一になるよう一体に連結固定すると共に、該各横連結杆の中間部付近に間隔を有して２本の縦連結杆を、前記各横連結杆と面一になるよう一体に連結固定して、前記移動機構を設置する第２フレーム側取付枠体が形成され、
前記上下方向移動部材は、第３フレームの上下に配設された各横方向金属板の中間部付近に間隔を有して２本の縦連結杆を、前記各縦方向金属板と面一になるよう一体に連結固定すると共に、該各縦連結杆の中間部付近に間隔を有して２本の横連結杆を、前記各縦連結杆と面一になるよう一体に連結固定して、前記移動機構を設置する第３フレーム側取付枠体が形成され、
前記移動機構は、前記第２フレーム側取付枠体と第３フレーム側取付枠体間において配設された方形状プレートの表・裏面側に、それぞれ左右方向移動部材と上下方向移動部材を設置して形成され、
前記第２フレームに連結された第１フレームを左右方向に移動させる左右方向移動部材は、前記方形状プレートの表面側の両側上下位置において、横方向に配設された２本のスライドシャフトをガイドする２組のスライドベアリングがそれぞれセットとして間隔を有して固定されると共に、該スライドベアリングにそれぞれ軸挿された各スライドシャフトの各両側端部が、前記第２フレームの縦連結杆に固定されると共に、前記方形状プレートの表面側中央部に、第２フレームに連結されている第１フレームを左右動させるための左右移動ねじ杆を螺挿する送りナットが固定され、且つ前記左右移動ねじ杆の基端部側は一方の縦連結杆に設けられた軸受に螺挿され、該軸受から更に横方向へ延設された前記左右移動ねじ杆の基端部に回転ハンドルを固定して形成され、
前記第２フレームに連結された第１フレームを上下方向に移動させる上下方向移動部材は、前記方形状プレートの裏面側の上下両側位置において、縦方向に配設された２本のスライドシャフトをガイドする２組のスライドベアリングがそれぞれセットとして間隔を有して固定されると共に、該スライドベアリングにそれぞれ軸挿された各スライドシャフトの各上下端部が、前記第３フレームの横連結杆に固定されると共に、前記方形状プレートの裏面側中央に、第２フレームに連結された第１フレームを上下動させるための上下移動ねじ杆を螺挿する送りナットが固定され、且つ前記上下移動ねじ杆の基端部側は上方の横連結杆に設けられた軸受に螺挿され、該軸受から更に上方へ延設された前記上下移動ねじ杆の上端部に回転ハンドルを固定して形成するという手段を採用することにより上記課題位を解決した。
【発明の効果】
【０００８】
前記構成より成る本発明によれば、サッシの取付開口部に固定した第３フレームの前方に、第２フレームを介在して連結された第１フレームに、サッシの左・右枠および上・下枠を４個所の隅角部を直角に維持して方形状に保型して宙吊り状態で持固定し、且つ前記サッシを固定した前記第１フレームを左右および上下、並びに前後方向に移動自在として、前記サッシを取付開口部において移動させて取付位置を調整し、前記取付開口部においてセンターを取り、水平、且つ垂直に位置決めし、前記サッシを第１フレームに取付けた状態で、従来工法と同様に、該サッシの外周面を取付開口部に設けられた鉄筋等の取付部材に溶接補助具を用いて溶接固定することができるので、サッシの位置決めに従来のような結束線や木製キャンバー等を必要とせず、極めて簡単にビル等の開口取付部に位置決めでき、また、サッシの位置決めまでの所要時間も１０分以下と極めて短時間にでき、その結果コストの低減を図ることができるという優れた効果を奏することができる。
【図面の簡単な説明】
【０００９】
【図１】本発明サッシ位置決め装置を開口部の壁面に設置した状態を示す全体の正面図である。
【図２】本発明サッシ位置決め装置を構成する第３フレームを省略し、後方側に第フレームを連結した第１フレームがサッシを固着した状態を示す正面図である。
【図３】本発明サッシ位置決め装置を構成する第２フレームの正面図である。
【図４】本発明サッシ位置決め装置を構成する第３フレームの背面図である。
【図５】本発明サッシ位置決め装置を構成する第１フレーム、第２フレームおよび第３フレームを連結して示す概略右側面図である。
【図６】本発明サッシ位置決め装置における長さ調節部材の要部を示す縦断面図である。
【図７】本発明サッシ位置決め装置において、サッシの左枠と下枠に第１フレームを連結固定する状態を、第３フレームを省略して示す要部の拡大斜視図である。
【図８】本発明サッシ位置決め装置において、サッシの右枠と下枠に第１フレームを連結固定する状態を、第３フレームを省略して示す要部の拡大斜視図である。
【図９】本発明サッシ位置決め装置において、サッシの右枠と上枠に第１フレームを連結固定する状態を、第３フレームを省略して示す、要部の拡大斜視図である。
【図１０】本発明サッシ位置決め装置において、第３フレームの他方側当接部材を取付開口部の壁面の他方側Ｌ字状隅角部にレバーロック装置を用いて圧着固定しようとする状態を示す要部の拡大斜視図である。
【図１１】本発明サッシ位置決め装置において、第３フレームの他方側当接部材を取付開口部の壁面の他方側Ｌ字状隅角部にレバーロック装置を用いて圧着固定している途中の状態を示す要部の拡大斜視図である。
【図１２】本発明サッシ位置決め装置において、第３フレームの他方側当接部材を取付開口部の壁面の他方側Ｌ字状隅角部にレバーロック装置を用いて圧着固定した状態を示す要部の拡大斜視図である。
【図１３】本発明サッシ位置決め装置において、第３フレームの一方側当接部材を取付開口部の壁面の一方側Ｌ字状隅角部にレバーロック装置を用いて圧着固定した状態を示す要部の拡大斜視図である。
【図１４】本発明サッシ位置決め装置における方形状プレートの表裏面に左右方向移動部材と上下方向移動部材を設置した状態を示す概略拡大縦断面図である。
【図１５】本発明サッシ位置決め装置における前後方向移動部材を示す要部の拡大縦断面図である。
【実施例】
【００１０】
本発明の実施例を図面に基づいて詳細に説明する。本発明サッシ位置決め装置は、サッシ１の左・右枠１ａ・１ｂおよび上・下枠１ｃ・１ｄに固定して、該サッシ１を４個所の隅角部を直角に維持して、方形枠状に保型して宙吊り状態に保持固定することができる井桁状の第１フレーム２と、前記第１フレーム２の後方側に連結された井桁状の第２フレーム３と、前記第２フレーム３の後方側に連結された井桁状の第３フレーム４とにより、前記サッシ１を左右方向、上下方向および前後方向に移動させて、ビル等の開口部Ｋの壁面Ｗへの前記サッシ１の取付位置を微調整できるよう構成されている。
【００１１】
前記井桁状の第１フレーム２は、アルミや鋼製の細巾の横方向金属板５ａと縦方向金属板５ｂとを各２本ずつ間隔を有して直角、且つ面一に交差して井桁状に連結固定して、中央に方形状の空隙部２ａを備えて、前記サッシ１の巾および高さより短かく形成されると共に、前記各金属板５ａ・５ｂの各端部には、サッシメーカーによってサッシ１の巾および高さが異なるので、すべてのサッシメーカーのサッシ１の左・右枠１ａ・１ｂおよび上・下枠１ｃ・１ｄにも対応して固定できるよう、その長さを調整することができる長さ調整部材６ａ〜６ｄがそれぞれ設置されている。
【００１２】
前記井桁状の第１フレーム２を構成する横方向金属板５ａと縦方向金属板５ｂは、型鋼材であればいずれも使用することができるが、図１・図２および図７〜図９に示すような、両側起立片７の上端縁に内方へ折曲したフランジ８を突設して内部に凹溝９を備えて断面略凹状に形成されたリップ溝型鋼(「Ｃチャン」と略称されている)を使用することが好ましく、以下本発明においては、横方向金属板５ａと縦方向金属板５ｂとしてリップ溝型鋼を使用するものとして説明する。
【００１３】
前記井桁状の第１フレーム２を構成するリップ溝型鋼より成る横方向金属板５ａと縦方向金属板５ｂの各端部には、すべてのサッシメーカーのサッシ１の左・右枠１ａ・１ｂおよび上・下枠１ｃ・１ｄにも対応できるよう、その長さを調整する長さ調整部材６ａ〜６ｄがそれぞれ連結固定されている。前記長さ調整部材６ａ〜６ｄは、特に限定する必要はないが、好ましくは、図１・図２および図６〜図９に示すように構成することが推奨される。
【００１４】
すなわち、前記長さ調整部材６ａ〜６ｄは、図１・図２および図６〜図９に示すように、前記サッシ１の左・右枠１ａ・１ｂおよび上・下枠１ｃ・１ｄに対面する、各横方向金属板５ａおよび縦方向金属板５ｂの各端縁部において、前記各両側起立片７の上端縁に内方へ折曲したフランジ８を突設して形成された凹溝９内に、スライド板１０が該凹溝９内においてスライド可能に挿入されると共に、前記両側起立片７に上方から逆凹状をした座金１１を、該両側起立片７の両側壁面に摺接するようにして嵌挿し、更に前記座金１１を貫通して固定ねじ１２を前記スライド板１０に形成されたねじ穴１３に螺挿して、前記座金１１を各横方向金属板５ａおよび縦方向金属板５ｂに圧接することにより、前記スライド板１１をその位置で固定できるようにして形成されている。
【００１５】
そして、前記各長さ調整部材６ａ〜６ｄを構成するスライド板１０の各端縁部には、前記サッシ１の左・右枠１ａ・１ｂおよび上・下枠１ｃ・１ｄに当接して固定する固定ピース１４・１５・１６・１７がそれぞれ連結固定されている。なお、前記固定ピース１４・１５・１６・１７の形状は、サッシ１の左・右枠１ａ・１ｂおよび上・下枠１ｃ・１ｄの断面形状は、サッシメーカーによって、その断面形状が各社それぞれ異なっているので、それぞれの形状に対応できるよう形成する必要がある。
【００１６】
本実施例においては、前記各固定ピース１４・１５・１６・１７は、図示しているサッシ１に取付けるものとして説明する。すなわち、図７には、サッシ１の左枠１ａと下枠１ｄ部分が図示され、また図８には、右枠１ｂと下枠１ｄ部分が図示されているが、前記サッシ１の左・右枠１ａ・１ｂには、その対面する内側面に引違いサッシ窓(図示せず)の左・右框に摺接する縦突条１８・１９がそれぞれ突設されている。そして、サッシ１の左枠１ａおよび右枠１ｂの縦突条１８・１９に嵌挿できる凹溝２０・２１を凹設すると共に、該左枠１ａおよび右枠１ｂに圧着できる巾を有する硬質合成樹脂製の左・右枠用の固定ピース１４・１５が形成されている。
【００１７】
また、図９には、サッシ１の右枠１ｂと上枠１ｃ部分が図示されており、前記サッシ１の上枠１ｃには、天板２２の下面に引違いサッシ窓（図示せず）の上框に摺接する横突条２３が垂設され、且つ前記天板２２の横突条２３に嵌挿できる凹溝２４を凹設すると共に、該上枠１ｃの下面側に圧着できる巾を有する硬質合成樹脂製の上枠用の固定ピース１６が形成されている。
【００１８】
更に、図７には、サッシ１の左枠１ａと下枠１ｄ部分が図示されていると共に、図８には、サッシ１の右枠１ｂと下枠１ｄ部分が図示されており、前記サッシ１の下枠１ｄには、底板２５の上面に引違いサッシ窓（図示せず）の下框に摺接する横突条２６が突設され、且つ前記底板２５の横突条２６に嵌挿できる凹溝２７を凹設すると共に、該下枠１ｄの上面側に圧着できる巾を有する硬質合成樹脂製の下枠用の固定ピース１７が形成されている。
【００１９】
前記構成より成る各固定ピース１４〜１７は、それぞれ井桁状の第１フレーム２の各横方向金属板５ａ・５ｂおよび縦方向金属板５ｃ・５ｄの各端縁部に設置された長さ調整部材６ａ〜６ｄの先端に連結固定される。そして、前記各長さ調整部材６ａ〜６ｄへの各固定ピース１４〜１７の連結固定手段は、特に限定する必要はないが、好ましくは、図７〜図９に示すような構成とすることが推奨される。
【００２０】
前記サッシ１の左・右枠１ａ・１ｂに装着固定する左・右枠用の固定ピース１４・１５は、図７〜図９に示すように、前記左・右枠１ａ・１ｂに対応する各長さ調整部材６ａ・６ｂの各先端部前方側に、取付プレート２８ａ・２８ｂを、図示を省略したボルト等によって一体に連結固定する一方、該各取付プレート２８ａ・２８ｂに前記左・右枠用の固定ピース１４・１５を、図示を省略したボルト等によって一体に連結固定して形成されている。
【００２１】
前記構成より成る左・右枠用ピース１４・１５を、前記左・右枠１ａ・１ｂに圧着固定する場合、図６〜図９に示すように、前記各スライド板１０を固定ねじ１２部分を握って、それぞれ外側方向へスライドさせて、前記左・右枠１ａ・１ｂ用の固定ピース１４・１５の各凹溝２０・２１を、前記左・右枠１ａ・１ｂの各突条１８・１９に嵌挿して、該左・右枠１ａ・１ｂの内側面に圧接させた後、前記固定ねじ１２を前記スライド板１０のねじ穴１３に螺合して、座金１１を横方向金属板５ａの両側起立片７に圧着することにより、前記スライド板１０のスライドが停止し、左・右枠用の固定ピース１４・１５は前記左・右枠１ａ・１ｂに強固に圧着固定される。
【００２２】
そして、左・右枠用の固定ピース１４・１５を前記左・右枠１ａ・１ｂから取外す場合は、前記固定ねじ１２を緩めてスライド板１０をそれぞれ内側方向へスライドさせて、前記各左・右枠１ａ・１ｂに対する各固定ピース１４・１５の圧着状態を解除することによって取外すことができる。
【００２３】
また、前記サッシ１の上・下枠１ｃ・１ｄに装着固定する上・下枠用の固定ピース１６・１７は、図７〜図９に示すように、前記上・下枠１ｃ・１ｄに対応する各長さ調整部材６ｃ・６ｄの各先端部前方側に、取付プレート２９ａ・２９ｂを、図示を省略したボルト等により一体に連結固定する一方、該各取付プレート２９ａ・２９ｂに前記上・下枠用の固定ピース１６・１７を、図示を省略したボルト等により一体に連結して形成されている。
【００２４】
前記構成より成る上・下枠用の固定ピース１６・１７を、前記上・下枠１ｃ・１ｄに圧着固定する場合、図６〜図９に示すように、前記各スライド板１０を固定ねじ１２部分を握って、それぞれ外側方向へスライドさせて、前記上枠用の固定ピース１６を上枠１ｃの天板２２、横突条２３および凹溝２４に臨ませる一方、前記下枠用の固定ピース１７を下枠１ｄの底板２５、横突条２６および凹溝２７に臨ませて、前記固定ピース１６・１７の凹溝２０・２１を前記横突条２３・２６に嵌挿して、前記上・下枠１ｃ・１ｄにそれぞれ圧着させた後、前記固定ねじ１２を前記スライド板１０のねじ穴１３に螺合して、座金１１を縦方向金属板５ｂの両側起立片７に圧着することにより、前記スライド板１０のスライドが停止し、上・下枠用の固定ピース１６・１７は前記上・下枠１ｃ・１ｄに強固に圧着固定される。
【００２５】
そして、上・下枠用の固定ピース１６・１７を前記上・下枠１ｃ・１ｄから取外す場合は、前記固定ねじ１２を緩めてスライド板１０をそれぞれ内側方向へ移動させて、前記上・下枠１ｃ・１ｄに対する各固定ピース１６・１７の圧着状態を解除することによって取外すことができる。
【００２６】
一方、前記第１フレーム２の後方側に連結されて、該第１フレーム１を前後方向へ移動させる第２フレーム３は、前記第１フレーム２の横方向金属板５ａと縦方向金属板５ｂの各交差部分において、前後方向移動部材３０によって、前記第１フレーム２と第２フレーム３とを連結すると共に、第１フレーム２を前後方向へ移動させることができるようにして形成されている。
【００２７】
前記第１フレーム２の後方側に前後方向移動部材３０を介して連結される第２フレーム３は、前記第１フレーム２と同様に、アルミや鋼製の細巾の横方向金属板３１ａと縦方向金属板３１ｂとを、前記第１フレーム２の横方向金属板５ａと縦方向金属板５ｂと同一間隔で直角に、且つ面一に交差して井桁状に連結固定して、中央に方形状の空隙部３ａを備えて前記第１フレーム２と同一大きさに形成され、第１フレーム２と第２フレーム３とは、前記各交差部分において、前後方向移動部材３０を軸支して連結されている。なお、前記第２フレーム３を構成する横方向金属板３１ａと縦方向金属板３１ｂとは、前記第１フレーム２と同様に、リップ溝型鋼を使用するものとして説明する。
【００２８】
前記前後方向移動部材３０は、第２フレーム３の前面側に連結して装置された第１フレーム２が、該第２フレーム３に対して前後動できるような構成であればよく、特に限定する必要はないが、好ましくは、図１〜図３および図１５に示すような構成とすることが推奨される。すなわち、前記前後方向移動部材３０は、前記第１フレーム２と第２フレーム３の各交差部において、該第１フレーム２の前方側外側面に、雌ねじ３２を内周面に刻設した雌ねじナット３３が固定されると共に、該雌ねじナット３３の延長線上の第２クレーム３の後方側外側面にベアリング３４より成る軸受３５が固定され、更に、前記雌ねじナット３３に螺合する雄ねじ３６を外側面に刻設した回動部材３７を前方端に備えた回転軸３８を、前記雌ねじナット３３に螺合し、且つ該回転軸３８の後端部を、第１フレーム２および第２フレーム３を貫通して回転自在に設けられた連動軸３９の先端に固定すると共に、該連動軸３９の後端部は前記軸受３５に回転自在に軸支して形成されている。
【００２９】
前記前後方向移動部材３０は、前記第１フレーム２と第２フレーム３の各交差部である４ケ所に設置されている。そして、第１フレーム２のよじれやはらみを修正するため、前記４ケ所に設置された前後方向移動部材３０を操作して、前記第１フレーム２を前後動させて、その位置を修正するが、その操作について説明する。図１５は、１つの前後方向移動部材３０について図示しているが、その他の３個の前後方向移動部材３０も同一構成である。
【００３０】
すなわち、図１５において、前記前後方向移動部材３０を操作して第１フレーム２を前（手前）方向へ移動させる場合、回動部材３７を反時計方向へ回動させると、回転軸３８も反時計方向へ回転するが、該回転軸３８は前方向へ移動することなく、前記回動部材３７の反時計方向への回動により、雄ねじ３６が反時計方向へ回転し、これにより該雄ねじ３６が螺合する雌ねじ３２を内周面に刻設した雌ねじナット３３が前方向へ引き寄せられて移動し、これにより雌ねじナット３３が一体に固定された第１フレーム２を前方向へ移動させ、所定の移動位置で停止させることができる。
【００３１】
一方、第１フレーム２を後（奥行）方向へ移動させる場合は、前記前（手前）方向への移動の場合とは逆に、回動部材７を時計方向へ回動させることにより、雄ねじ３６が螺合する雌ねじ３２を内周面に刻設した雌ねじナット３３が後方向へ押圧されて移動し、これにより雌ねじナット３３が一体に固定された第１フレーム２を後方向へ移動させ、所定の移動位置で停止させることができる。
【００３２】
前記のように、４ケ所の前後方向移動部材３０の全部、あるいはその一部を操作して、第１フレーム２を前・後動させて、該第１フレーム２のねじれや、はらみを修正することができるのである。
【００３３】
また、前記第２フレーム３の後方側に連結される第３フレーム４は、前記第１フレーム２および第３フレーム４と同様に、アルミや鋼製の細巾の２本の横方向金属板４０ａと縦方向金属板４０ｂとを、前記第２フレーム３の横方向金属板３１ａと縦方向金属板３１ｂより小さい間隔で直角に、且つ面一に交差して井桁状に連結固定して、特に限定する必要はないが、好ましくは、中央に前記第１フレーム２の方形状の空隙部２ａおよび第２フレーム３の方形状の空隙部３ａよりやや小さい方形状の小空隙部４ａを備えて形成することが推奨される。すなわち、前記第３フレーム４を構成する横方向金属板４０ａと縦方向金属板４０ｂは、前方第１フレーム２および第２フレーム３の場合と比べて、小さい方形状の小空隙部４ａとするため、両者を互いに近接して連結固定して形成されている。なお、第３フレーム４を構成する横方向金属板４０ａと縦方向金属板４０ｂとは、前記第１フレーム２および第３フレーム３と同様に、リップ溝型鋼を使用するものとして説明する。
【００３４】
図４は、第３フレーム４を背面側から見た背面図であり、前記第３フレーム４の各横方向金属板４０ａの一方側端部（図４の右側）に、予め水平と垂直を取り設置されたビル等の取付開口部Ｋに位置する壁面Ｗの一方側（図１においては、左側）の縦方向後方のＬ字状隅角部４１ａに、一方側当接部材４２を長さを調節して固定するため、前記各横方向金属板４０ａの一方側端部に一方側長さ調整接部材４３を連結固定すると共に、前記各横方向金属板４０ａの他方側端部に壁面Ｗの他方側（図１においては、右側）の縦方向後方のＬ字状隅角部４１ｂに、他方側当接部材４４を長さを調節して固定するため、前記各横方向金属板４０ａの他方側端部に他方側長さ調整接部材４５が連結固定され、更に前記各縦方向金属板４０ｂの下端面には、前記取付開口部Ｋの底面４６にスタンド４７を高さを調整して設置するための下方側長さ調整部材４８が連結固定されて形成されている。
【００３５】
前記第３フレーム４における一方側長さ調整接部材４３、他方側長さ調整接部材４５および下方側長さ調整接部材４８は、前記第１フレーム２の長さ調整部材６ａ〜６ｄと同一構成であるので、符号は同一符号を使用し、その詳細な説明は省略する。
【００３６】
前記壁面Ｗの一方側のＬ字状隅角部４１ａに当接する一方側当接部材４２と、前記壁面Ｗの他方側のＬ字状隅角部４１ｂに当接する他方側当接部材４４の形状は両者とも同一で、それぞれ取付方向を逆にして使用することにより、前記Ｌ字状隅角部４１ａ・４１ｂのいずれにも対応することができる。そして、前記一方側当接部材４２と他方側当接部材４４は、硬質合成樹脂により側面板４９ａと背面板４９ｂとを直角に折曲してＬ字状に形成されている。
【００３７】
一方、前記他方側長さ調整部材４５は、取付開口部Ｋの壁面Ｗの他方側（図１においては、右側）のＬ字状隅角部４１ｂに、長さを調整して圧着固定できる構成を備えた圧着固定手段Ｒを用いて第３フレーム４が開口部Ｋの壁面Ｗに動揺することなく圧着固定することが、前記第３フレーム４を開口部Ｋの壁面Ｗに強固に固定するためには好ましい。
【００３８】
そして、前記圧着固定手段Ｒは、特に限定する必要はないが、好ましくは図１１〜図１３に示すような一般にロック部材として広く使用されているレバーロック装置５０を使用することが推奨される。すなわち、前記第３フレーム４を構成する横方向金属板４０ａの他方側調整部材４５を構成するスライド板１０の先方側の突出部上・下面に、前記レバーロック装置５０をそれぞれ設置固定すると共に、該レバーロック装置５０のレバー５１の回動操作により前後動するシャフト５２の先端に、前記他方側当接部材４４の側面板４９ａを、図示しないボルト等により一体に連結固定して形成されている。
【００３９】
なお、前記圧着固定手段Ｒは、これを使用しないでも、一方側当接部材４２・他方側当接部材４４およびスタンド４７により動揺することなく、前記壁面Ｗに圧着固定できれば、該圧着固定手段Ｒを取付ける必要はなく、その取付けは任意であるが、確実性を期すため前記圧着固定手段Ｒを取付けることが推奨される。
【００４０】
また、前記第３フレーム４を構成する縦方向金属板４０ｂの両下端縁部に設置される下方側長さ調整部材４８には、前記取付開口部Ｋの底面４６に高さを調整して設置するスタンド４７が連結されるが、該スタンド４７は前記下方側長さ調整部材４８の下端に巾広の接地板５３を固定して形成されている。
【００４１】
前記第３フレーム４を取付開口部Ｋの壁面Ｗに固定する場合、先ず第３フレーム４の各縦方向金属板４０ｂの各下方側長さ調整部材４８により長さを調節して、その下端部に固定された接地板５３を、前記取付開口部Ｋの底面４６に設置固定して、前記底面４６上に第３フレーム４を設置することにより、一体に連結された第１フレーム２、第２フレーム３および第３フレーム４を手で持ち上げて保持することなく、該第３フレーム４を壁面ＷのＬ字状隅角部４１ａ・４１ｂに当接固定することが可能となり、次のＬ字状隅角部４１ａ・４１ｂに第３フレーム４を当接固定する工程に移行することができる。
【００４２】
前記第３フレーム４の各横方向金属板４０ａの各先端部に固定された一方側当接部材４２と他方側当接部材４４を、前記取付開口部Ｋの壁面ＷのＬ字状隅角部４１ａ・４１ｂに当接固定する方法は、先ず、前記一方側当接部材４２を前記壁面Ｗの一方側のＬ字状隅角部４１ａに、前記一方側長さ調整部材４３により長さを調節して当接する一方、前記他方側当接部材４４を前記他方側長さ調整部材４５により長さを調節して他方側のＬ字状隅角部４１ｂに当接して、高さおよび角度等を調整しながら、前記レバーロック装置５０のレバー５１を回動して押し下げて、該他方側当接部材４４を他方側のＬ字状隅角部４１ｂに圧着当接することにより、第３フレーム４は壁面Ｗに圧着固定される。前記他方側当接部材４４を他方側のＬ字状隅角部４１ｂに当接固定することにより、当然一方側のＬ字状隅角部４１ａに一方側当接部材４２が当接固定されることになる。これにより、前記第３フレーム４は取付開口部Ｋの壁面Ｗに設置固定される。
【００４３】
そして更に、前記第２フレーム３および第３フレーム４の各空隙部３ａ・４ｂ間には、前記第２フレーム３を左右・上下方向に移動させ、これにより該第２フレーム３と連結されている第１フレーム２を左右方向に移動させる左右方向移動部材５４と、上下方向に移動させる上下方向移動部材５５とを備えた移動機構５６が設置されている。
【００４４】
前記左右方向移動部材５４は、図１および図３に示すように、前記第２フレーム３の左右に配設された各縦方向金属板３１ｂの中間部付近に間隔を有して２本の横連結杆５７ａ・５７ｂを、前記各縦方向金属板３１ｂと面一になるよう一体に連結固定すると共に、該各横連結杆５７ａ・５７ｂの中間部付近に間隔を有して２本の縦連結杆５８ａ・５８ｂを、前記各横連結杆５７ａ・５７ｂと面一になるよう一体に連結固定して、前記移動機構５６を設置する第２フレーム側取付枠体５９が形成されている。
【００４５】
また、前記上下方向移動部材５５は、図４に示すように、第３フレーム４の上下に配設された各横方向金属板４０ａの中間部付近に間隔を有して２本の縦連結杆６０ａ・６０ｂを、前記各横方向金属板４０ａと面一になるよう一体に連結固定すると共に、該各縦連結杆６０ａ・６０ｂの中間部付近に間隔を有して２本の横連結杆６１ａ・６１ｂを、前記各縦連結杆６０ａ・６０ｂと面一になるよう一体に連結固定して、前記移動機構５６を設置する第３フレーム側取付枠体６２が形成されている。
【００４６】
そして、前記移動機構５６は、前記第２フレーム側取付枠体５９と第３フレーム側取付枠体６２間において配設された、前記第２フレーム側取付枠体５９と第３フレーム側取付枠体６２で構成される方形状の小空間部６３ａ・６３ｂよりやや小巾の方形状プレート６４の表・裏面側に、それぞれ左右方向移動部材５４と上下方向移動部材５５を設置して形成されている。なお、図１４に示すように、前記第２フレーム側取付枠体５９と第３フレーム側取付枠体６２間において配設される方形状プレート６４の前端縁６４ａと前記第３フレーム側取付枠体６２の前端縁６２ａとが面一になるよう配設されている。
【００４７】
前記第２フレーム３に連結された第１フレーム２を左右方向に移動させる左右方向移動部材５４は、図１および図３に示すように、前記方形状プレート６４の表面側の両側上下位置において、横方向に配設された２本のスライドシャフト６５a・６５ｂをガイドするスライドベアリング６６ａ・６６ｂおよび６６ｃ・６６ｄとが、それぞれセットとして間隔を有して固定されると共に、該スライドベアリング６６ａ・６６ｂおよび６６ｃ・６６ｄにそれぞれ軸挿された各スライドシャフト６５ａ・６５ｂの各両側端部が、前記第２フレーム３の縦連結杆５８ａ・５８ｂに固定されると共に、前記方形状プレート６４の表面側中央部に、第２フレーム３に連結されている第１フレーム２を左右動させるための左右移動ねじ杆６７を螺挿する送りナット６８が固定され、且つ前記左右移動ねじ杆６７の基端部側は一方の縦連結杆（図１および図３においては、縦連結杆５８ｂ）に設けられた軸受６９に螺挿され、該軸受６９から更に横方向へ延設された前記左右移動ねじ杆６７の基端部に回転ハンドル７０を固定して形成されている。すなわち、前記方形状プレート６４の表面側は、前記第２フレーム側取付枠体５９に固定されることなく、前記スライドシャフト６５a・６５ｂを介して、該２フレーム側取付枠体５９に連結されているという構成である。
【００４８】
そして、前記第２フレーム３に連結された第１フレーム２を上下方向に移動させる上下方向移動部材５５は、図４に示すように、前記方形状プレート６４の裏面側の上下両側位置において、縦方向に配設された２本のスライドシャフト７１ａ・７１ｂをガイドするスライドベアリング７２ａ・７２ｂおよび７２ｃ・７２ｄとが、それぞれセットとして間隔を有して固定されると共に、該スライドベアリング７２ａ・７２ｂおよび７２ｃ・７２ｄにそれぞれ軸挿された各スライドシャフト７１ａ・７１ｂの各上下端部が、前記第３フレーム４の横連結杆６１ａ・６１ｂに固定されると共に、前記方形状プレート６４の裏面側中央に、第２フレーム３に連結された第１フレーム２を上下動させるための上下移動ねじ杆７３を螺挿する送りナット７４が固定され、且つ前記上下移動ねじ杆７３の基端部側は上方の横連結杆６１ａに設けられた軸受７５に螺挿され、該軸受７５から更に上方へ延設された前記上下移動ねじ杆７３の上端部に回転ハンドル７６を固定して形成されている。すなわち、前記方形状プレート６４の裏面側は、前記第３フレーム側取付枠体６２に固定されることなく、前記スライドシャフト７１a・７１ｂを介して、該３フレーム側取付枠体６２に連結されているという構成である。
【００４９】
前記左右方向移動部材５４および上下方向移動部材５５を備えた移動機構５６により、第１フレーム２・第２フレーム３および第３フレーム４は一体に連結されると共に、第１フレーム２は左右・上下および前後方向に移動して、サッシ１に連結固定されるように形成されている。以下、本発明の作用について説明する。
【００５０】
前記第１フレーム２、第２フレーム３および第３フレーム４を一体に連結した本発明装置を用いた第１工程は、前記第１フレーム２の各横方向金属板５ａ・５ｂおよび縦方向金属板５ｃ・５ｄの各端縁部に設置された長さ調整部材６ａ〜６ｄにより長さを調整して、その先端に固定された固定ピース１４〜１７をサッシ１の左・右枠１ａ、１ｂおよび上・下枠１ｃ・１ｄに圧着固定して、前記サッシ１を第１フレーム２に宙吊り状態に保持固定する工程である。
【００５１】
すなわち、前記サッシ１の左・右枠１ａ・１ｂに固定ピース１４・１５を圧着固定する場合、各横方向金属板５ａ・５ｂの両側端部に挿入された各スライド板１０を外側方向へスライドさせて長さを調整して、前記固定ピース１４・１５を前記左・右枠１ａ・１ｂに圧接させた後、固定ねじ１２を前記スライド板１０のねじ穴１３に螺合して、座金１１を横方向金属板５ａの両側起立片７に圧着することにより、前記固定ピース１４・１５は前記左・右枠１ａ・１ｂに強固に圧着固定される。
【００５２】
そして、前記サッシ１の上・下枠１ｃ・１ｄに固定ピース１６・１７を圧着固定する場合、各縦方向金属板５ｃ・５ｄの両側端部に挿入された各スライド板１０を外側方向へスライドさせて長さを調整して、前記固定ピース１６・１７を前記上・下枠１ｃ・１ｄに圧接させた後、固定ねじ１２を前記スライド板１０のねじ穴１３に螺合して座金１１を縦方向金属板５ｂの両側起立片７に圧着することにより、前記固定ピース１６・１７は前記上・下枠１ｃ・１ｄに強固に圧着固定して、前記サッシ１を第１フレーム２に宙吊り状態に保持固定する。前記第１フレーム２にサッシ１を宙吊り状態に保持固定する第１工程が完了すると、該サッシ１を固定した第１フレーム２と一体に連結された第２フレーム３および第３フレーム４より成る本発明装置を用いた第２工程に入る。
【００５３】
本発明装置を用いた第２工程は、前記取付開口部Ｋの壁面Ｗに第３フレーム４部分を連結固定する工程である。すなわち、図４および図１０〜図１３に示すように、先ず前記第３フレーム４の各縦方向金属板４０ｂの下方側長さ調整部材４８の下端部に固定されたスタンド４７を構成する接地板５３を、前記取付開口部Ｋの底面４６に設置固定して、その後、該第３フレーム４に一体に連結されている第１フレーム２および第２フレーム３を保持して持ち上げる等の体力を要する労力を必要とせず、底面４６に設置固定したまま、前記一方側長さ調整部材４３により長さを調節して、前記一方側当接部材４２を前記取付開口部Ｋの壁面Ｗの一方側のＬ字状隅角部４１ａに当接した後、他方側長さ調整部材４５により長さを調節して、前記他方側当接部材４４を他方側のＬ字状隅角部４１ｂに当接して、第３フレーム４の前記壁面Ｗに対する高さおよび角度等を調整しながら、レバーロック装置５０のレバー５１を回動して押し下げて、該他方側当接部材４４を他方側のＬ字状隅角部４１ｂに圧着当接することにより、前記一方側当接部材４２も一方側のＬ字状隅角部４１ａに簡単に圧着固定され、これにより第３フレーム４の前方側に一体に連結固定された第１・第２フレーム２・３も共に、前記取付開口部Ｋの壁面Ｗに固定された状態となる。
【００５４】
次に、本発明装置を用いた第３工程は、前記第３フレーム４および第２フレーム３を介して固定された第１フレーム２に宙吊り状態に保持固定されたサッシ１を壁面Ｗにおいて、図示していないレーザー装置により水平および垂直のレーザー光を照射して、該水平および垂直のレーザー光に一致させることができるように、左右方向移動部材５４の回転ハンドル７０および上下方向移動部材５４の回転ハンドル７６を回転させると共に、前後方向移動部材３０を使用して前後動させて、サッシ１を前記開口部Ｋ内において、前記サッシ１を左右方向、上下方向および前後方向に移動させて位置の調整をして、前記壁面Ｗへの位置決めをする一方、よじれや、はらみがないようにする工程である。
【００５５】
すなわち、前記サッシ１を左右方向に移動させて位置決めするには、図１および図３に示すように、回転ハンドル７０を時計方向に回動させると、該回転ハンドル７０にその基端部を固定された左右移動ねじ杆６７が時計方向へ回転し、該左右移動ねじ杆６７の回転が、前記方形状プレート６４に固定された送りナット６８に伝導するが、第３フレーム４は取付開口部Ｋの壁面Ｗに固定されているため移動せず、また方形状プレート６４もその裏面側において、スライドシャフト７１ａ・７１ｂが第３フレーム側取付枠体６２に連結されているため、前記左右移動ねじ杆６７の回転が前記送りナット６８に伝導しても、該方形状プレート６４も移動することなく、該方形状プレート６４の前面側に固定された送りナット６８に螺挿した左右移動ねじ杆６７の時計方向への回転により、前記第２フレーム側取付枠体５９に連結されている２本のスライドシャフト６５ａ・６５ｂをガイドとして、第２フレーム側取付枠体５９および該第２フレーム側取付枠体５９を連結固定した横方向金属板３１ａおよび縦方向金属板３１ｂを備えた第２フレーム３のみを右方向へ移動させて右方向の位置を調整する。前記第２フレーム３の右方向移動により、該第２フレーム３の前方側に連結されている第１フレーム２が右方向へ移動し、前記回転ハンドル７０の回動作業を停止することにより、前記第２フレーム３の右方向移動は停止し、該第１フレーム２に連結固定されたサッシ１の右方向側の位置の調整が完了する。
【００５６】
一方、前記第２フレーム３の左方向移動は、前記回転ハンドル７０を反時計方向へ回動させればよく、これにより第２フレーム３の前方側に連結された第１フレーム２は左方向へ移動する。そして、第２フレーム３の左方向移動の動作は、前記第２フレーム３の右方向移動の動作と逆になるだけであるので、詳細な説明を省略する。
【００５７】
そして、前記サッシ１を上下方向に移動させて位置決めするには、図３に示すように、回転ハンドル７６を時計方向に回動させると、該回転ハンドル７６にその基端部を固定された上下移動ねじ杆７３が時計方向へ回転し、該上下移動ねじ杆７３の回転が、前記方形状プレート６４の裏面側に固定された送りナット７４に伝導するが、第３フレーム４は取付開口部Ｋの壁面Ｗに固定されているため移動せず、また方形状プレート６４も、その表面側において、スライドシャフト６５ａ・６５ｂが第２フレーム側取付枠体６１に連結されているため、前記上下移動ねじ杆７５の回転が前記送りナット７４に伝導しても、該方形状プレート６４も移動することなく、前記方形状プレート６４に固定された送りナット７４に螺挿した上下移動ねじ杆７３の時計方向への回転により、前記第２フレーム側取付枠体５９に連結されている第２フレーム３を、２本のスライドシャフト７１ａ・７１ｂをガイドとして下方向へ移動させて下方向の位置を調整する。前記第２フレーム３の下方向移動により、該第２フレーム３の前方側に連結されている第１フレーム２が下方向へ移動し、前記回転ハンドル７６の回転操作を停止することにより、前記第２フレーム３の下方向移動は停止し、該第１フレーム２に連結固定されたサッシ１の下方向側の位置の調整が完了する。
【００５８】
一方、前記第２フレーム３の上方向移動は、前記回転ハンドル７６を反時計方向へ回動させればよく、これにより前記第２フレーム３の前方側に連結された第１フレーム２は上方向へ移動する。そして、第２フレーム３の上方向移動の動作は、前記第２フレーム３の上方向移動の動作と逆になるだけであるので、詳細な説明を省略する。
【００５９】
そして更に、前記第１フレーム２に連結固定されたサッシ１を前後動させて、よじれや、はらみがないようにするには、前記第１フレーム２と第２フレーム３の各交差部に設置されている前後方向移動部材３０を使用する。すなわち、図１５に示すように、第１フレーム２を手前方向（前方向）へ移動させる場合、握りハンドル３７を反時計方向へ回動させることにより、雄ねじ３６が反時計方向へ回転し、これにより雌ねじナット３３が前方向へ引き寄せられて移動して、第１フレーム２を前方向へ移動させるのである。また、第１フレーム２を奥行方向（後方向）へ移動させる場合、握りハンドル３７を時計方向に回動させればよい。
【００６０】
前記サッシ１が取付開口部Ｋにおいて、センターを取り、水平、且つ垂直状態で位置決めが完了すると、前記サッシ１を第１フレーム２に取付けた状態で、従来工法と同様に、前記サッシ１の外周面を、壁面Ｗに設けられた鉄筋等の取付部材（図示せず）に溶接補助具（図示せず）を用いて溶接固定して、該壁面Ｗに固定する。
【００６１】
前記取付開口部Ｋの壁面Ｗにサッシ１の溶接固定後、前記長さ調整部材６ａ〜６ｄの固定ねじ１２を緩めて各座金１１による各スライド板１０への圧着状態を解除して、該各スライド板１０をそれぞれ内方側へ移動させて、左・右枠用ピース１４・１５および上・下枠用ピース１６・１７を左・右枠１ａ・１ｂおよび上・下枠１ｃ・１ｄにより取外して、前記第１フレーム２をサッシ１から取外すと共に、第３フレーム４の他方側調整部材４４のレバーロック装置５０および下方側長さ調整部材４８の固定ねじ１２を緩めて座金１１によるスライド板１０への圧着状態を解除して、各スライド板１０をそれぞれ上方へ移動させてスタンド４７を底面４６から持上げ、然る後一体に連結固定された第１フレーム２、第２フレーム３および第３フレーム４を前記開口部Ｋの壁面Ｗより取外すことにより、該サッシ１の取付開口部Ｋの壁面Ｗへの取付作業は完了する。
【符号の説明】
【００６２】
１  サッシ
１ａ  左枠
１ｂ  右枠
１ｃ  上枠
１ｄ   下枠
２  第１フレーム
２ａ  空隙部
３    第２フレーム
３ａ  空隙部
４    第３フレーム
４ａ  小空隙部
５ａ  横方向金属板
５ｂ  縦方向金属板
３０  前後方向移動部材
４０ａ  横方向金属板
４０ｂ  縦方向金属板
４１ａ  Ｌ字状隅角部
４１ｂ  Ｌ字状隅角部
４４  他方側当接部材
４５  他方側長さ調整接部材
４６  底面
４７  スタンド
４８  下方側長さ調整部材
５４  左右方向移動部材
５５  上下方向移動部材
５６  移動機構
５７ａ  横連結杆
５７ｂ  連結杆
５８ａ  縦連結杆
５８ｂ  縦連結杆
５９  第２フレーム側取付枠体
６０ａ  縦連結杆
６０ｂ  縦連結杆
６１ａ  横連結杆
６１ｂ  横連結杆
６２  第３フレーム側取付枠体
６３ａ  小空間部
６３ｂ  小空間部
６４  方形状プレート
６５ａ  スライドシャフト
６５ｂ  スライドシャフト
６６ａ  スライドベアリング
６６ｂ  スライドベアリング
６６ｃ  スライドベアリング
６６ｄ  スライドベアリング
６７  左右移動ねじ杆
６８  送りナット
７０  回転ハンドル
７１ａ  スライドシャフト
７１ｂ  スライドシャフト
７２ａ  スライドベアリング
７２ｂ  スライドベアリング
７２ｃ  スライドベアリング
７２ｄ  スライドベアリング
７３  上下移動ねじ杆
７４  送りナット
７５  軸受
７６  回転ハンドル
Ｋ  取付開口部
Ｗ  壁面
【図１】
2017078305.tif 000003
【図２】
2017078305.tif 000004
【図３】
2017078305.tif 000005
【図４】
2017078305.tif 000006
【図５】
2017078305.tif 000007
【図６】
2017078305.tif 000008
【図７】
2017078305.tif 000009
【図８】
2017078305.tif 000010
【図９】
2017078305.tif 000011
【図１０】
2017078305.tif 000012
【図１１】
2017078305.tif 000013
【図１２】
2017078305.tif 000014
【図１３】
2017078305.tif 000015
【図１４】
2017078305.tif 000016
【図１５】
2017078305.tif 000017
【手続補正書】
【提出日】平成28年12月8日(2016.12.8)
【手続補正１】
【補正対象書類名】明細書
【補正対象項目名】０００７
【補正方法】変更
【補正の内容】
【０００７】
本発明は、サッシの左・右枠および上・下枠に固定して、該サッシの４個所の隅角部を直角に維持して方形枠状に保型して宙吊り状態に保持固定することができる井桁状の第１フレームと、前記第１フレームの後方側に、該第１フレームを前後方向に移動させる前後方向移動部材を介して連結された井桁状の第２フレームと、前記第１フレームを左右方向、上下方向に移動させる移動機構を前記第２フレームと井桁状の第３フレーム間に備えて、前記第１フレーム、第２フレームおよび第３フレームを一体に連結して構成された、サッシの取付開口部の壁面への取付位置を調整するサッシ位置決め装置であって、
前記井桁状の第１フレームは、細巾の横方向金属板と縦方向金属板とを各２本ずつ間隔を有して直角、且つ面一に交差して井桁状に連結固定して、中央に方形状の空隙部を備えて、前記サッシの巾および高さより短かく形成されると共に、前記各金属板の各端部に、長さを調整する長さ調整部材がそれぞれ設置されると共に、該各長さ調整部材の先方には、前記サッシの左・右枠および上・下枠の内側面に圧着固定する固定ピースが取付けられ、
前記第２フレームは、前記第１フレームと同様に、横方向金属板と縦方向金属板とを、前記第１フレームの横方向金属板と縦方向金属板と同一間隔で直角に、且つ面一に交差して井桁状に連結固定して、中央に方形状の空隙部を備えて形成され、前記第１フレームと第２フレームとは、前記各交差部分において、前後方向移動部材を軸支して連結され、且つ該前後方向移動部材により、前記第１フレームは第２フレームに連結されると共に、前後方向に移動可能に連結され、
前記第３フレームは、前記第１フレームおよび第２フレームと同様に、２本の横方向金属板と縦方向金属板とを、直角に、且つ面一に交差して井桁状に連結固定すると共に、中央に方形状の小空隙部を備えて形成され、且つ前記第３フレームの各横方向金属板の一方側端部に、取付開口部に位置する壁面の一方側の縦方向後方のＬ字状隅角部に、一方側当接部材を長さを調節して固定する一方側長さ調整接部材を連結固定すると共に、前記各横方向金属板の他方側端部に壁面の他方側の縦方向後方のＬ字状隅角部に、他方側当接部材を長さを調節して固定する他方側長さ調整接部材が連結固定され、更に前記各縦方向金属板の下端面には、前記取付開口部の底面にスタンドを高さを調整して設置するための下方側長さ調整部材が連結固定されて形成され、
前記第２フレームおよび第３フレームの各空隙部間には、前記第２フレームを左右・上下方向に移動させ、これにより該第２フレームと連結されている第１フレームを左右方向に移動させる左右方向移動部材と、上下方向に移動させる上下方向移動部材とを備えた移動機構が設置され、
前記第２フレームの左右に配設された各縦方向金属板の中間部付近に間隔を有して２本の横連結杆を、前記各縦方向金属板と面一になるよう一体に連結固定すると共に、該各横連結杆の中間部付近に間隔を有して２本の縦連結杆を、前記各横連結杆と面一になるよう一体に連結固定して、前記移動機構を設置する第２フレーム側取付枠体が形成され、
前記第３フレームの上下に配設された各横方向金属板の中間部付近に間隔を有して２本の縦連結杆を、前記各縦方向金属板と面一になるよう一体に連結固定すると共に、該各縦連結杆の中間部付近に間隔を有して２本の横連結杆を、前記各縦連結杆と面一になるよう一体に連結固定して、前記移動機構を設置する第３フレーム側取付枠体が形成され、
前記移動機構は、前記第２フレーム側取付枠体と第３フレーム側取付枠体間において配設された方形状プレートの表・裏面側に、それぞれ左右方向移動部材と上下方向移動部材を設置して形成され、
前記第２フレームに連結された第１フレームを左右方向に移動させる左右方向移動部材は、前記方形状プレートの表面側の両側上下位置において、横方向に配設された２本のスライドシャフトをガイドする２組のスライドベアリングがそれぞれセットとして間隔を有して固定されると共に、該スライドベアリングにそれぞれ軸挿された各スライドシャフトの各両側端部が、前記第２フレームの縦連結杆に固定されると共に、前記方形状プレートの表面側中央部に、第２フレームに連結されている第１フレームを左右動させるための左右移動ねじ杆を螺挿する送りナットが固定され、且つ前記左右移動ねじ杆の基端部側は一方の縦連結杆に設けられた軸受に螺挿され、該軸受から更に横方向へ延設された前記左右移動ねじ杆の基端部に回転ハンドルを固定して形成され、
前記第２フレームに連結された第１フレームを上下方向に移動させる上下方向移動部材は、前記方形状プレートの裏面側の上下両側位置において、縦方向に配設された２本のスライドシャフトをガイドする２組のスライドベアリングがそれぞれセットとして間隔を有して固定されると共に、該スライドベアリングにそれぞれ軸挿された各スライドシャフトの各上下端部が、前記第３フレームの横連結杆に固定されると共に、前記方形状プレートの裏面側中央に、第２フレームに連結された第１フレームを上下動させるための上下移動ねじ杆を螺挿する送りナットが固定され、且つ前記上下移動ねじ杆の基端部側は上方の横連結杆に設けられた軸受に螺挿され、該軸受から更に上方へ延設された前記上下移動ねじ杆の上端部に回転ハンドルを固定して形成するという手段を採用することにより上記課題位を解決した。
【手続補正２】
【補正対象書類名】明細書
【補正対象項目名】００３３
【補正方法】変更
【補正の内容】
【００３３】
また、前記第２フレーム３の後方側に連結される第３フレーム４は、前記第１フレーム２および第２フレーム３と同様に、アルミや鋼製の細巾の２本の横方向金属板４０ａと縦方向金属板４０ｂとを、前記第２フレーム３の横方向金属板３１ａと縦方向金属板３１ｂより小さい間隔で直角に、且つ面一に交差して井桁状に連結固定して、特に限定する必要はないが、好ましくは、中央に前記第１フレーム２の方形状の空隙部２ａおよび第２フレーム３の方形状の空隙部３ａよりやや小さい方形状の小空隙部４ａを備えて形成することが推奨される。すなわち、前記第３フレーム４を構成する横方向金属板４０ａと縦方向金属板４０ｂは、前方第１フレーム２および第２フレーム３の場合と比べて、小さい方形状の小空隙部４ａとするため、両者を互いに近接して連結固定して形成されている。なお、第３フレーム４を構成する横方向金属板４０ａと縦方向金属板４０ｂとは、前記第１フレーム２および第３フレーム３と同様に、リップ溝型鋼を使用するものとして説明する。
【手続補正３】
【補正対象書類名】明細書
【補正対象項目名】００４４
【補正方法】変更
【補正の内容】
【００４４】
図１および図３に示すように、前記第２フレーム３の左右に配設された各縦方向金属板３１ｂの中間部付近に間隔を有して２本の横連結杆５７ａ・５７ｂを、前記各縦方向金属板３１ｂと面一になるよう一体に連結固定すると共に、該各横連結杆５７ａ・５７ｂの中間部付近に間隔を有して２本の縦連結杆５８ａ・５８ｂを、前記各横連結杆５７ａ・５７ｂと面一になるよう一体に連結固定して、前記移動機構５６を設置する第２フレーム側取付枠体５９が形成されている。
【手続補正４】
【補正対象書類名】明細書
【補正対象項目名】００４５
【補正方法】変更
【補正の内容】
【００４５】
また、図４に示すように、第３フレーム４の上下に配設された各横方向金属板４０ａの中間部付近に間隔を有して２本の縦連結杆６０ａ・６０ｂを、前記各横方向金属板４０ａと面一になるよう一体に連結固定すると共に、該各縦連結杆６０ａ・６０ｂの中間部付近に間隔を有して２本の横連結杆６１ａ・６１ｂを、前記各縦連結杆６０ａ・６０ｂと面一になるよう一体に連結固定して、前記移動機構５６を設置する第３フレーム側取付枠体６２が形成されている。
【手続補正５】
【補正対象書類名】特許請求の範囲
【補正対象項目名】請求項１
【補正方法】変更
【補正の内容】
【請求項１】
サッシの左・右枠および上・下枠に固定して、該サッシの４個所の隅角部を直角に維持して方形枠状に保型して宙吊り状態に保持固定することができる井桁状の第１フレームと、前記第１フレームの後方側に、該第１フレームを前後方向に移動させる前後方向移動部材を介して連結された井桁状の第２フレームと、前記第１フレームを左右方向、上下方向に移動させる移動機構を前記第２フレームと井桁状の第３フレーム間に備えて、前記第１フレーム、第２フレームおよび第３フレームを一体に連結して構成された、サッシの取付開口部の壁面への取付位置を調整するサッシ位置決め装置であって、
前記井桁状の第１フレームは、細巾の横方向金属板と縦方向金属板とを各２本ずつ間隔を有して直角、且つ面一に交差して井桁状に連結固定して、中央に方形状の空隙部を備えて、前記サッシの巾および高さより短かく形成されると共に、前記各金属板の各端部に、長さを調整する長さ調整部材がそれぞれ設置されると共に、該各長さ調整部材の先方には、前記サッシの左・右枠および上・下枠の内側面に圧着固定する固定ピースが取付けられ、
前記第２フレームは、前記第１フレームと同様に、横方向金属板と縦方向金属板とを、前記第１フレームの横方向金属板と縦方向金属板と同一間隔で直角に、且つ面一に交差して井桁状に連結固定して、中央に方形状の空隙部を備えて形成され、前記第１フレームと第２フレームとは、前記各交差部分において、前後方向移動部材を軸支して連結され、且つ該前後方向移動部材により、前記第１フレームは第２フレームに連結されると共に、前後方向に移動可能に連結され、
前記第３フレームは、前記第１フレームおよび第２フレームと同様に、２本の横方向金属板と縦方向金属板とを、直角に、且つ面一に交差して井桁状に連結固定すると共に、中央に方形状の小空隙部を備えて形成され、且つ前記第３フレームの各横方向金属板の一方側端部に、取付開口部に位置する壁面の一方側の縦方向後方のＬ字状隅角部に、一方側当接部材を長さを調節して固定する一方側長さ調整接部材を連結固定すると共に、前記各横方向金属板の他方側端部に壁面の他方側の縦方向後方のＬ字状隅角部に、他方側当接部材を長さを調節して固定する他方側長さ調整接部材が連結固定され、更に前記各縦方向金属板の下端面には、前記取付開口部の底面にスタンドを高さを調整して設置するための下方側長さ調整部材が連結固定されて形成され、
前記第２フレームおよび第３フレームの各空隙部間には、前記第２フレームを左右・上下方向に移動させ、これにより該第２フレームと連結されている第１フレームを左右方向に移動させる左右方向移動部材と、上下方向に移動させる上下方向移動部材とを備えた移動機構が設置され、
前記第２フレームの左右に配設された各縦方向金属板の中間部付近に間隔を有して２本の横連結杆を、前記各縦方向金属板と面一になるよう一体に連結固定すると共に、該各横連結杆の中間部付近に間隔を有して２本の縦連結杆を、前記各横連結杆と面一になるよう一体に連結固定して、前記移動機構を設置する第２フレーム側取付枠体が形成され、
前記第３フレームの上下に配設された各横方向金属板の中間部付近に間隔を有して２本の縦連結杆を、前記各縦方向金属板と面一になるよう一体に連結固定すると共に、該各縦連結杆の中間部付近に間隔を有して２本の横連結杆を、前記各縦連結杆と面一になるよう一体に連結固定して、前記移動機構を設置する第３フレーム側取付枠体が形成され、
前記移動機構は、前記第２フレーム側取付枠体と第３フレーム側取付枠体間において配設された方形状プレートの表・裏面側に、それぞれ左右方向移動部材と上下方向移動部材を設置して形成され、
前記第２フレームに連結された第１フレームを左右方向に移動させる左右方向移動部材は、前記方形状プレートの表面側の両側上下位置において、横方向に配設された２本のスライドシャフトをガイドする２組のスライドベアリングがそれぞれセットとして間隔を有して固定されると共に、該スライドベアリングにそれぞれ軸挿された各スライドシャフトの各両側端部が、前記第２フレームの縦連結杆に固定されると共に、前記方形状プレートの表面側中央部に、第２フレームに連結されている第１フレームを左右動させるための左右移動ねじ杆を螺挿する送りナットが固定され、且つ前記左右移動ねじ杆の基端部側は一方の縦連結杆に設けられた軸受に螺挿され、該軸受から更に横方向へ延設された前記左右移動ねじ杆の基端部に回転ハンドルを固定して形成され、
前記第２フレームに連結された第１フレームを上下方向に移動させる上下方向移動部材は、前記方形状プレートの裏面側の上下両側位置において、縦方向に配設された２本のスライドシャフトをガイドする２組のスライドベアリングがそれぞれセットとして間隔を有して固定されると共に、該スライドベアリングにそれぞれ軸挿された各スライドシャフトの各上下端部が、前記第３フレームの横連結杆に固定されると共に、前記方形状プレートの裏面側中央に、第２フレームに連結された第１フレームを上下動させるための上下移動ねじ杆を螺挿する送りナットが固定され、且つ前記上下移動ねじ杆の基端部側は上方の横連結杆に設けられた軸受に螺挿され、該軸受から更に上方へ延設された前記上下移動ねじ杆の上端部に回転ハンドルを固定して形成されたことを特徴とするサッシ位置決め装置。